(57)【要約】【課題】  構造が簡単で、且つＺ±方向の調整が容易に行え、そのために組み立て作業性の向上した受光素子取り付け及び位置調整機構を提供すること。【解決手段】  光ピックアップに用いられ、光学ベース５０にホルダー１０を介して受光素子を取り付け及び位置調整するための機構であって、前記ホルダー１０は前記光学ベース５０当接する当接部１１と、前記当接部１１から離間して対向して設けられた素子取り付け部１３と、前記当接部１１及び前記素子取り付け部１３の一端側同士を接続する結合片１２とを備えている。更に、前記素子取り付け部１３の他端部１４を貫通して前記当接部の他端部に螺合する螺子１を備えている。前記螺子１を螺子１の軸方向に回転移動可能とし、且つ前記素子取り付け部１３の他端を前記螺子１に固定する固定部材５を設けた。【選択図】      図２
2005190588.tif 000002
【特許請求の範囲】
【請求項１】
光ピックアップに用いられ、光学ベースにホルダーを介して受光素子を取り付け及び位置調整するための機構であって、前記ホルダーは前記光学ベース当接する当接部と、前記当接部から離間して対向して設けられた素子取り付け部と、前記当接部及び前記素子取り付け部の一端側同士を接続する結合片とを備え、更に，前記素子取り付け部の他端を貫通して前記当接部の他端に螺合する螺子を備え、前記螺子を螺子の軸方向に回転移動可能とし、且つ前記素子取り付け部の他端を前記螺子に固定する固定部材を設けたことを特徴とする受光素子の取り付け位置調整機構。
【請求項２】
請求項１記載の受光素子の取り付け位置調整機構において、前記螺子は頭部と、螺子部と、前記頭部と前記螺子部との間に設けられ径方向に突出したフランジとを備え、前記素子取り付け部の他端は前記螺子の通る貫通穴を備え、前記固定部材は、前記フランジを前記素子取り付け部の前記貫通穴の周囲に押し付ける構成であることを特徴とする受光素子の取り付け位置調整機構。
【請求項３】
請求項２記載の受光素子の取り付け位置調整機構において、前記固定部材は、第１の板片と第２の板片とこれら第１及び第２の板片の端部同士を結ぶ結合片を備えたコ字形状の板体であり、前記第１の板片には、前記螺子の山径よりも大きな径の穴と、前記第２の板片には、前記螺子の頭部よりも径は大きいが前記フランジ部よりも径の小さな穴部を備えていることを特徴とする受光素子の取り付け位置調整機構。
【請求項４】
請求項３記載の受光素子の取り付け位置調整機構において、前記結合片に設けられた開口と前記素子取り付け部の他端の端面に設けられた突起とを係合することで前記素子取り付け部の他端に前記固定部材を固定することを特徴とする受光素子の取り付け位置調整機構。
【請求項５】
請求項１乃至４の内のいずれか一つに記載の受光素子の取り付け位置調整機構を備えていることを特徴とする光ピックアップ。
【発明の詳細な説明】
【技術分野】
【０００１】
本発明は、光ディスクドライブの光ピックアップに関し、特にその受光素子の取り付け位置調整機構に関する。
【背景技術】
【０００２】
光ディスクドライブは、光ディスク（ＣＤ，ＣＤ−ＲＯＭ，ＣＤ−Ｒ，ＣＤ−ＲＷ，ＤＶＤ−ＲＯＭ、ＤＶＤ＋Ｒ、ＤＶＤ−Ｒ、ＤＶＤ−ＲＡＭ、ＤＶＤ＋ＲＷ、ＤＶＤ−ＲＷ、等）に記録された情報を読み出したり、あるいは情報を書き込んだりするための装置である。この種の光ディスクドライブは、光ディスクからの情報の読み出し、あるいは光ディスクへの情報の書き込みを実現するため、光ディスクに対してレーザ光を照射し、またその反射光を検出するための光ピックアップを備えている。
【０００３】
図３は従来技術による光ピックアップを示す断面図である（特許文献１、参照）。
【０００４】
図３を参照すると、光ピックアップ１１０は、各種電子機器に備えられる光ディスクドライブに含まれるものであり、レーザ光を発生するレーザ部５１を備えている。レーザ部５１から生じたレーザ光は、ビームスプリッタ５２から光学レンズ５３を介して光学式記録媒体である光ディスク５４に照射される。そして、光ディスク５４に照射されたレーザ光は、光ディスク５４表面で反射して反射光となる。この反射光は、光学レンズ５３からビームスプリッタ５２を介して受光素子２０に入射する。すなわち、受光素子２０は光ディスク５４からの反射光を受光する。
【０００５】
この従来の光ピックアップ１１０において、レーザ部５１及びビームスプリッタ５２は、光学ベース５６に保持されている。また、光学レンズ５３は、光学ベース５６に固定された複数の部材５７，５８により保持されている。なお、光学ベース５６は、さらに光ディスクドライブの筐体に保持固定されている。その光学ベース５６の側面には、回路基板５９が固定されている。この回路基板５９は、それに搭載されたコネクタ６１により光ディスクドライブの他の各回路要素に電気的に接続される。
【０００６】
また、光学ベース５６の下面には、上述した受光素子２０を備えた受光装置が組み付けられている。この受光装置は、素子ホルダー６４の素子取り付け部１３の上面に、回路基板５９に接続された他の回路基板に公知のフォトダイオードを搭載してなる受光素子２０を保持又は固定したものである。ここで素子ホルダー６４は、受光素子２０よりも投影面積が大なるものであり、したがって受光素子２０よりも素子ホルダー６４の素子取り付け部１３が外側に突出している。この素子ホルダー６４の素子取り付け部１３が外側に突出した部分を利用して、受光素子２０をカバー５５を用いて光学ベース５６に保持させている。
【０００７】
この受光素子の取り付け構造を詳述すると、光学ベース５６の図示しない凹部にはめ込むように取り付けられた素子ホルダー６４の素子取り付け部１３と、この素子取り付け部１３に接合された受光素子２０と、光学ベース５６に取り付けられて素子ホルダー６４の素子取り付け部１３を保持するカバー６５とを有している。このカバー６５は、金属板より作られている。このカバー６５の両端部には、ネジが取り付けられるネジ孔がそれぞれ形成され、この受光素子２０の取り付け構造では、一対のネジがバネを介して螺合されており、これにより、カバー６５が光学ベース５６に仮止めされ、バネを介して一対のネジが螺合されたのち、樹脂を用いてカバー６５が光学ベース５６に本固定される。また、カバー６５の両端部は、光学ベース５６の凹部にはめ込められた素子取り付け部１３に架かるような大きさとされている。このため、カバー６５が光学ベース５６に螺合されると、当該カバー６５の両端部によって、素子取り付け部１３が光学ベース５６に対して押しつけられることになる。
【０００８】
このような受光素子２０の取り付け構造を備えた光ピックアップは、光ディスク５４で反射したレーザ光がビームスプリッタ５２を介して受光装置に照射される。そして、この受光素子３０は、照射されたレーザ光の光信号を電気信号に変換して、光ピックアップ装置の各要素回路に当該電気信号を供給する。このとき、カバー６５が一対のネジにより光学ベース５６に対して仮止めされている。特に、これら一対のネジは、カバー６５との間にそれぞれバネを介している。このため、一対のネジを完全に締めることなく、カバー６５を光学ベース５６にとりつけることができる。また、一対のネジ及びバネを用いて仮止めした後、樹脂を用いてカバー６５と光学ベース５６とを本固定している。
【０００９】
図４（ａ）は従来技術の他の例による受光素子の取り付け及びＺ方向の調整機構を示す平面図、図４（ｂ）及び（ｃ）は図４（ａ）の取り付け及びＺ方向の調整機構のＺ軸方向調整動作の説明に供せられる図で、（ｂ）はＺ＋方向、（ｃ）はＺ−方向を夫々示している。
【００１０】
図４（ａ）を参照すると、光学ベース５０に、この光学ベース５０に当接する当接部１１と、素子取り付け部１３と、それらの一端を結ぶ結合部１２とを備えたコ字形状の素子ホルダー１０が設けられている。素子取り付け部１３の他端１４と当接部１１の他端を貫通して螺子６２が設けられており、この螺子６２の素子取り付け部１３の他端１４と当接部１１の他端との対向面間には、コイルバネ６３が挿入されている。
【００１１】
図４（ｂ）を参照すると、光学素子の光軸に沿うＢ方向であるＺ＋方向に移動する場合には、螺子を後退即ち、緩めるとバネの弾性力（反力）によって、受光素子２０は、素子取り付け部１３とともに移動する。
【００１２】
図４（ｃ）を参照すると、光学素子の光軸に沿うＣ方向で、且つＢ方向と反対方向であるＺ−方向に移動する場合には、螺子を前進、即ち、締めるとバネの弾性力に対抗して、受光素子２０は、素子取り付け部１３とともに移動する。
【００１３】
しかしながら、受光素子をＺ＋方向に調整するには、受光素子ホルダーの曲げ剛性よりも大きな反力が得られるようなコイルバネが必要となり、形状の極小化ができなかった。
【００１４】
また、形状を優先し曲げ剛性よりも小さな反力のコイルバネを用いた場合は、Ｚ−方向のみの調整しかできず、生産性が上がらない原因となっている。
【００１５】
【特許文献１】特開２０００−２２２７５７号公報
【発明の開示】
【発明が解決しようとする課題】
【００１６】
そこで、本発明の技術的課題は、構造が簡単で、且つＺ±方向の調整が容易に行え、そのために組み立て作業性の向上した受光素子取り付け及び位置調整機構を提供することにある。
【００１７】
また、本発明の他の技術的課題は、構造が簡単なため、スリム（薄型）ピックアップ等の極小ピックアップにも用いることができる受光素子取り付け及び位置調整機構を提供することにある。
【００１８】
さらに、本発明のもう一つの技術的課題は、部品を増加させることなく、また、部品価格を変動させることがない受光素子取り付け及び位置調整機構を提供することにある。
【課題を解決するための手段】
【００１９】
本発明によれば、光ピックアップに用いられ、光学ベース（５０）にホルダー（１０）を介して受光素子（２０）を取り付け及び位置調整する機構であって、前記ホルダー（１０）は前記光学ベース（５０）に当接する当接部（１１）と、前記当接部（１１）から離間して対向して設けられた素子取り付け部（１３）と、前記当接部（１１）と、前記素子取り付け部（１３）の一端側同士を接続する結合片（１２）とを備え、更に，前記素子取り付け部（１３）の他端（１４）を貫通して前記当接部（１１）の他端部に螺合する螺子（１）を備え、前記螺子（１）を螺子（１）の軸方向に回転移動可能とし、且つ固定部材（５）を設けたことを特徴とする受光素子の取り付け位置調整機構が得られる。
【００２０】
また、本発明によれば、前記受光素子の取り付け位置調整機構において、前記螺子（１）は、頭部（２）と、螺子部（４）と、前記頭部（２）及び前記螺子部（４）の間に設けられ径方向に突出したフランジ（３）とを備え、前記素子取り付け部（１３）の他端（１４）は前記螺子（１）の通る貫通穴（１４ａ）を備え、前記固定部材（５）は、前記フランジ（３）を前記素子取り付け部（１３）の前記貫通穴（１４ａ）の周囲に押し付ける構成であることを特徴とする受光素子の取り付け位置調整機構が得られる。
【００２１】
また、本発明によれば、前記受光素子の取り付け位置調整機構において、前記固定部材（５）は、第１の板片（７）と第２の板片（６）とこれらの端部同士を結ぶ結合片（８）とを備えたコ字形状の板体であり、前記第１の板片（７）には、前記螺子（１）の山径よりも大きな径の穴（７ａ）と、前記第２の板片（６）には、前記螺子（１）の頭部（２）よりも径が大きいが前記フランジ（３）よりも径の小さな穴（９）を備えていることを特徴とする受光素子の取り付け位置調整機構が得られる。
【００２２】
また、本発明によれば、前記受光素子の取り付け位置調整機構において前記結合片（８）に設けられた開口と前記素子取り付け部（１３）の他端の端面に設けられた突起（１４ｄ）とを係合することで前記素子取り付け部（１３）の他端に前記固定部材（５）を固定することを特徴とする受光素子の取り付け位置調整機構が得られる。
【００２３】
さらに、本発明によれば、前記いずれか一つの受光素子の取り付け位置調整機構を備えていることを特徴とする光ピックアップが得られる。
【００２４】
なお、上記括弧で記載された参照符号は、本発明の理解を容易にするために設けられたものであって，本発明は上記符号に限定されるものではないことは勿論である。
【発明の効果】
【００２５】
本発明によれば、構造が簡単で、且つＺ±方向の調整が容易に行え、そのために組み立て作業性の向上した受光素子取り付け及び位置調整機構を提供することができる。
【００２６】
また、本発明によれば、構造が簡単なため、スリム（薄型）ピックアップ等の極小ピックアップにも用いることができる受光素子取り付け及び位置調整機構を提供することができる。
【００２７】
さらに、本発明によれば、部品を増加させることなく、また、部品価格を変動させることがない受光素子取り付け及び位置調整機構を提供することができる。
【発明を実施するための最良の形態】
【００２８】
以下、本発明の実施の形態について図面を参照しながら説明する。
【００２９】
図１は本発明の実施の形態による受光素子取り付け及び位置調整機構を示す平面図である。図２は図１のＡ部分の拡大図である。その他の部分は、図３及び図４に示す従来技術によるものと同じであるので、その説明については省略する。
【００３０】
図１及び図２を参照すると、光学ベース５０に、この光学ベース５０に当接する当接部１１と、素子取り付け部１３と、それらの一端を結ぶ結合部１２とを備えたコ字形状の素子ホルダー１０が設けられている。素子取り付け部１３の他端１４には、貫通孔１４が設けられ、さらに、素子取り付け部１３の厚さよりも大きな面間隔を備えたコ字状の固定部材である調節片５が開口側から挿入されて設けられている。調節片５は、貫通孔７ａを備えた第１の板片７と貫通孔９を備えた第２の板片６とこれの一端同士を結ぶ結合片８とを備えている。素子取り付け部１３の他端１４の貫通孔１４ａ、調節片５の貫通孔７ａを貫通して、当接部１１の他端にねじ込まれた螺子１が設けられている。この螺子１は、端部に面取りを施すか、もしくは丸い頭部２と、リング状の板片からなるフランジ３と螺子部４とを備えている。調節片５の第２の板片６の貫通孔９は、螺子１の頭部２よりも径が大きいが、フランジ３よりも径が小さくなるように形成されている。
【００３１】
したがって、螺子１は、コの字の調節片５の第２の板片６によって、常に下方に付勢されて、螺子１の上方向（Ｚ＋方向）の離脱を防止し、素子取り付け部１３の他端１４側を螺子１の頭部２側で固定する。
【００３２】
また、結合片８に形成された開口８ａと他端１４の端面１４ｂに形成された突起１４ｄとを係合することで、素子取り付け部１３の他端１４に調節片５を固定している。
【００３３】
よって、螺子１を締めると、フランジ３が固定され、螺子１が当接部１１内を前進するためにＺ−方向に取り付け部が移動し、螺子１を緩めると、螺子１が当接部１１から後退するためにＺ＋方向に取り付け部を移動させて位置決めすることができる。
【００３４】
このように、本発明の実施の形態の受光素子取り付け及び位置調整機構においては、構造が簡単で、且つＺ±方向の調整が容易に行え、そのために組み立て作業性を向上させることができる。
【００３５】
また、本発明の実施の形態による受光素子取り付け及び位置調整機構によれば、構造が簡単なため、スリム（薄型）ピックアップ等の極小ピックアップにも用いることができる。
【００３６】
さらに、本発明の実施の形態による受光素子取り付け及び位置調整機構によれば、部品を増加させることなく、また、部品価格を変動させることがない。
【産業上の利用可能性】
【００３７】
以上説明したように、本発明に係る受光素子取り付け及び位置調整機構は、光ディスクドライブの光ピックアップ、特に、薄型ドライブの光ピックアップに最適である。
【図面の簡単な説明】
【００３８】
【図１】本発明の実施の形態による受光素子取り付け及び位置調整機構を示す平面図である。
【図２】図１のＡ部分の拡大断面図である。
【図３】従来技術による光ピックアップ装置の一例を示す断面図である。
【図４】（ａ）は従来の他の例による受光素子の取り付け及びＺ方向の調整機構を示す平面図，（ｂ）及び（ｃ）は（ａ）の取り付け及びＺ方向の調整機構のＺ軸方向調整動作の説明に供せられる図で、（ｂ）はＺ＋方向、（ｃ）はＺ−方向を夫々示している。
【符号の説明】
【００３９】
１    螺子
２    頭部
３    フランジ
４    螺子部
５    調節片
６    第２の板片
７ａ    貫通孔
７    第１の板片
８    結合片
９    貫通孔
１０    素子ホルダー
１１    当接部
１２    結合片
１３    素子取り付け部
１４    他端
１４ａ    貫通孔
２０    受光素子
５０    光学ベース
５１    レーザ部
５２    ビームスプリッタ
５３    光学レンズ
５４    光ディスク
５５    ネジ
５６    光学ベース
５７，５８    部材
５９    回路基板
６２    螺子
６３    コイルバネ
６４    素子ホルダー
６５    カバー
１１０    光ピックアップ
【図１】
2005190588.tif 000003
【図２】
2005190588.tif 000004
【図３】
2005190588.tif 000005
【図４】
2005190588.tif 000006